(57)【要約】  本発明はキムチ乳酸菌の醗酵物を利用して室内空気中の細菌を殺菌すると共に抗菌性が向上するようにする空気調和機を開示する。  また、本発明は空気中の細菌などが空気調和機の本体内部に粘着されて繁殖されることを防止する空気調和機を提案する。  このような空気調和機によると、空気調和機を通過した空気中の細菌及び空気調和機外部の細菌が殺菌されてより快適な室内空気を維持することができることは勿論、病源菌が殺菌されて病源菌の呼吸による疾病を防止することができる效果がある。
2008544204.tif 000002
【特許請求の範囲】
【請求項１】
多数の部材の結合によって完成される本体と、
前記本体の内部で空気が流動することができるようにする空気流路と、が含まれており、
前記空気流路を通る空気と接触する少なくともいずれか一つの部材にキムチ乳酸菌の醗酵物が含まれることを特徴とする空気調和機。
【請求項２】
前記キムチ乳酸菌の醗酵物は、前記部材の表面にコーティングされることを特徴とする請求項１に記載の空気調和機。
【請求項３】
前記キムチ乳酸菌の醗酵物は、前記部材の射出物に所定量が含まれることを特徴とする請求項１に記載の空気調和機。
【請求項４】
前記キムチ乳酸菌の醗酵物は、前記部材の射出材料に含有されて、前記部材と一体で射出成形されることを特徴とする請求項３に記載の空気調和機。
【請求項５】
前記キムチ乳酸菌の醗酵物は原材料と配合されて射出成形されるキムチ菌射出物に含まれて、
前記部材は前記キムチ菌射出物と別に射出成形された後、前記キムチ菌射出物と結合されることを特徴とする請求項３に記載の空気調和機。
【請求項６】
前記キムチ乳酸菌の醗酵物は前記部材の全部または一部分に含まれることを特徴とする請求項１に記載の空気調和機。
【請求項７】
前記キムチ乳酸菌の醗酵物は、ロイコノストック(Leuconostoc)属キムチ乳酸菌、ラクトバチルス(Lactobacillus)属キムチ乳酸菌、ウェイッセラ(Weissella)属キムチ乳酸菌及びこれらの混合物のうちから選択されるキムチ乳酸菌の醗酵物であることを特徴とする請求項１に記載の空気調和機。
【請求項８】
前記部材の全体重量１００重量％に対して前記キムチ乳酸菌の醗酵物が０．００１ないし２０重量％の量で含まれることを特徴とする請求項１に記載の殺菌空気調和機。
【請求項９】
前記部材は、前記空気流路を通過する空気を浄化して、他の部材に結合可能なフィルターであることを特徴とする請求項１に記載の空気調和機。
【請求項１０】
前記部材は、前記本体の前面をなす前面ドアであることを特徴とする請求項１に記載の空気調和機。
【請求項１１】
前記部材は、前記本体の底面をなすベースであることを特徴とする請求項１に記載の空気調和機。
【請求項１２】
前記部材は、本体の外形をなす前面フレーム、後面フレーム及び吸入ユニットのうちの少なくともいずれか一つであることを特徴とする請求項１に記載の空気調和機。
【請求項１３】
前記部材は、吸入される空気と内部の冷媒が熱交換するようにする熱交換器、または凝縮水が保存されるドレーン部であることを特徴とする請求項１に記載の空気調和機。
【請求項１４】
前記部材は、室内空気を本体に吸入して再び室内に吐出させる送風部であることを特徴とする請求項１に記載の空気調和機。
【請求項１５】
前記部材は、吸入／吐出口に具備される吸入ベーンまたは吐出ベーンであることを特徴とする請求項１に記載の空気調和機。
【請求項１６】
前記部材は、前記空気流路と別個に形成された流路上に備えられて、空気を浄化するようにする空気清浄装置であることを特徴とする請求項１に記載の空気浄化機。
【請求項１７】
前記部材は、前記本体の外側に提供されて外部に露出して、前記キムチ乳酸菌の醗酵物が濃縮された固体形象のキムチ菌キットであることを特徴とする請求項１に記載の空気調和機。
【請求項１８】
多数個の部材の結合によって完成される本体と、
前記本体の内部で空気が流動することができるようにする空気流路と、及び
前記空気流路上に備えられて、前記空気流路を通過する空気中の細菌を殺菌させるためのキムチ乳酸菌の醗酵物が内包されているキムチ菌フィルターと、が含まれる空気調和機。
【請求項１９】
前記キムチ菌フィルターは前記部材に結合可能であることを特徴とする請求項１８に記載の空気調和機。
【請求項２０】
前記部材には、前記キムチ菌フィルターがスライディング装着されることができるようにするガイド部が形成されることを特徴とする請求項１８に記載の空気調和機。
【請求項２１】
前記部材は、前記本体の底面をなすベース、前記本体に空気が吸入されるようにする吸入ユニット、前記本体に空気が強制吸入されるようにする送風部、前記本体内部に吸入された空気中のほこりを放電によって除去する集塵機及び前記空気流路と別個の流路に形成されて空気中のほこりを浄化する空気清浄装置のうちで少なくともいずれか一つであることを特徴とする請求項１９または２０に記載の空気調和機。
【請求項２２】
前記キムチ菌フィルターは、ハニカムまたは束子模様のような網状の構造を有することを特徴とする請求項１８に記載の空気調和機。
【請求項２３】
前記キムチ菌フィルターは、ある一種類のフィルターにキムチ乳酸菌の醗酵物がコーティングまたは塗布されて形成されることを特徴とする請求項１８に記載の空気調和機。
【請求項２４】
吸入口及び吐出口が形成される本体と、
前記本体の内部に装着されて、室内空気を吸入／吐出する送風部と、
前記送風部によって吸入される室内空気と内部の冷媒が熱交換するようにする熱交換器と、及び
前記本体の内部または外部に設置されてキムチ乳酸菌の醗酵物が放出されるようにするキムチ菌部材と、が含まれる空気調和機。
【請求項２５】
前記キムチ菌部材は、前記本体をなす少なくともいずれかの一つの部材に結合可能なフィルターであることを特徴とする請求項２４に記載の空気調和機。
【請求項２６】
前記キムチ菌部材は前記吐出口側に設置されることを特徴とする請求項２４に記載の空気調和機。
【請求項２７】
前記キムチ菌部材は、吐出される室内空気の流路上に設置されることを特徴とする請求項２４に記載の空気調和機。
【請求項２８】
前記キムチ菌部材は、キムチ乳酸菌の醗酵物が濃縮された固体形象のキムチ菌キットと、
前記キムチ菌キットが収容されるケースと、及び
前記ケースの前方に回動または脱／付着可能に装着されるカバーが含まれることを特徴とする請求項２４に記載の空気調和機。
【請求項２９】
前記キムチ菌部材は、前記本体の外側に装着されるケースと、
前記ケースの内部に装着されて、キムチ乳酸菌の醗酵物が濃縮された固体形象のキムチ菌キットと、
前記ケースの内部に装着されるサブファンと、及び
前記ケースに回動または脱／付着可能に装着されるカバーが含まれることを特徴とする請求項２４に記載の空気調和機。
【請求項３０】
前記キムチ菌キットは前記ケースから分離して交替可能なことを特徴とする請求項２８または２９に記載の空気調和機。
【発明の詳細な説明】
【技術分野】
【０００１】
本発明は空気調和機に関し、より詳細には、空気調和機の内部または外部を流動する室内空気がキムチ乳酸菌の醗酵物によって殺菌されるようにする空気調和機に関する。
【背景技術】
【０００２】
一般に、空気調和機は室内空気を吸入して、吸入された空気を熱交換させて冷却または加熱して、前記冷却または加熱された空気を室内に排出するようにする機器である。
【０００３】
最近には空気調和機のうちでも室内空気の温度を高めるか、または低める機能以外に空気中に含まれたほこりまたは細菌などが除去されるようにする空気浄化機能が共に具備される製品を消費者らが好む傾向がある。
【０００４】
したがって、空気中の異物をろ過する集塵フィルターと、空気中の微細粒子をろ過して、においなどを除去する脱臭フィルターと、空気中の細菌を吸着及び殺菌する抗菌フィルターなどが装着された空気調和機が普遍化される傾向がある。
【０００５】
しかし、このような多様な種類のフィルターは一般的な細菌に対する抗菌作用は可能であるが、特定細菌、すなわち鳥インフルエンザ(pathogenic avian influenza)ウイルス、サス(ＳＡＲＳ、重度急性呼吸器症侯群；Severe Acute Respiratory Syndrome)ウイルスなど、近来人間に致命的な悪影響を与えるウイルスに対する抗菌及び殺菌は不可能な問題点があった。
【０００６】
近来には前記鳥インフルエンザウイルスやサスウイルスなどの特定細菌の成長を抑制するかまたは殺菌作用する、キムチ乳酸菌の醗酵物に対する研究が持続しているし、前記キムチ乳酸菌の醗酵物は、前記病源菌などの成長を抑制すると共に、キムチ乳酸菌が分泌するバクテリオシンが前記病源菌を殺菌作用することの立証があった。
【０００７】
これによって、前記キムチ乳酸菌の醗酵物を利用して空気中の細菌を殺菌することの要求があったし、前記細菌及び病源菌が空気中に流通するのが一般的であるので、室内空気を殺菌することができる装置の開発が要求される。
【発明の開示】
【発明が解決しようとする課題】
【０００８】
本発明は、前記のような要求を充足するために提案されたものであり、キムチ乳酸菌の醗酵物を利用して室内空気中の細菌を殺菌すると共に抗菌性が向上するようにする空気調和機を提案することを目的とする。
【０００９】
特に、サス、鳥インフルエンザなどの特定病源菌を殺菌することができるようにする空気調和機を提案することを目的とする。
【００１０】
そして、空気中の細菌などが空気調和機本体内部に粘着して繁殖することを防止する空気調和機を提案することを目的とする。
【００１１】
また、冷暖房機能が遂行されない春秋期にもキムチ乳酸菌の醗酵物を利用して室内空気中の細菌を殺菌することができる空気調和機を提案することを目的とする。
【課題を解決するための手段】
【００１２】
前記のような目的を達成するための本発明による空気調和機は、多数の部材の結合によって完成される本体と、該本体の内部で空気が流動されることができるようにする空気流路と、が含まれて、前記空気流路を経つ空気と接触される少なくともいずれかの一つの部材にキムチ乳酸菌の醗酵物が含まれる。
【００１３】
本発明の他の側面による空気調和機は、多数個の部材の結合によって完成される本体と、該本体の内部で空気が流動されることができるようにする空気流路と、及び前記空気流路上に備えられて、前記空気流路を通過する空気中の細菌を殺菌させるためのキムチ乳酸菌の醗酵物が内包されているキムチ菌フィルターと、が含まれる。
【００１４】
本発明のまた他の側面による空気調和機は、吸入口及び吐出口が形成される本体と、該本体の内部に装着されて、室内空気を吸入／吐出する送風部と、該送風部によって吸入される室内空気と内部の冷媒が熱交換されるようにする熱交換器と、及び前記本体の内部または外部に設置されてキムチ乳酸菌の醗酵物が放出されるようにするキムチ菌部材と、が含まれる。
【発明の効果】
【００１５】
提案されるような本発明によると、空気調和機を通過した空気中の細菌などが殺菌されて、より快適な室内空気を維持することができることは勿論、病源菌が殺菌されて病源菌の呼吸による疾病を防止することができる效果がある。
【００１６】
特に、キムチ乳酸菌の醗酵物の優秀な抗ウイルス活性によって鳥インフルエンザ、またはサスなどを起こすウイルスに備えて抗ウイルス效果を付与することができる。
【００１７】
また、前記本体内部に吸入される空気中の細菌などが殺菌されることで、前記本体内部に吸入される空気が前記本体内部に粘着されて繁殖するのが防止される效果がある。
【００１８】
また、キムチ乳酸菌の醗酵物がフィルターの形態に提供される場合、必要によって前記フィルターを交替することにより、キムチ乳酸菌の醗酵物を再供給することができる效果がある。
【００１９】
また、キムチ乳酸菌の醗酵物が含まれたキムチ菌の部材が空気調和機の外部に具備される場合には季節にかかわらず、キムチ乳酸菌の醗酵物が空気中に放出されるようにすることができて、消費者が疾病に感染されることがなくなる效果がある。
【００２０】
本発明の思想は提示される実施例の図面によって明確に理解されることができる。
【発明を実施するための最良の形態】
【００２１】
以下では図面を参照して本発明の具体的な実施例を説明する。但し、本発明の思想は提示される実施例に制限されず、本発明の思想を理解する当業者は同一な思想の範囲内で他の実施例を容易に提案することができる。
【００２２】
図１は本発明の一実施例による空気調和機の外観斜視図であり、図２は前記空気調和機の分解斜視図である。
【００２３】
ここで、前記空気調和機は壁掛け型、常置型、天井掛け型及び天井埋め立て型などがあり、本実施例においては図１に示すように室内機が室内の一方の側に立てられて設置されて、室外に室外機が設置される常置型空気調和機に対して説明する。
【００２４】
図１及び図２を参照すると、本発明の思想による空気調和機１０は、外形をなす本体１００と、該本体１００の下方に結合されるベース６００と、前記本体１００の前方に結合されて前面外観を形成する前面ドア５００が含まれる。
【００２５】
詳しくは、前記本体１００は、前方部の側面外観を形成する前方フレーム２００と、後方部の外観を形成する後方フレーム３００と、前記前方フレーム２００の下方両側に具備されて、前記本体１００に吸入される空気の流動をガイドする一対の吸入ユニット４００とを含む。
【００２６】
そして、前記本体１００の内部には、前記本体１００の内部に吸入された空気が内部の冷媒と熱交換されるようにする熱交換器３２０と、該熱交換器３２０の下側に具備されて前記熱交換器３２０と空気の熱交換過程で発生される凝縮水を集水するドレーン部３３０と、室内空気が前記本体１００の内部に強制的に送風されるようにする送風部３４０と、該送風部３４０の前方に装着されて前記送風部３４０側に流動される空気を浄化させる空気浄化機３５０が具備される。
【００２７】
さらに詳しくは、前記前方フレーム２００の前面にはおおよそ四角板材の形象で形成されるフロントカバー２１０が装着される。そして、前記フロントカバー２１０の中央部には前記前面ドア５００に形成される操作部５２２に具備される電装部(図６の５２５参照)が安着される安着溝２１４が後方で陷沒成形される。
【００２８】
一方、本発明による空気調和機１０は、該空気調和機１０を構成する構成要素の吸入される空気との接触部分にキムチ乳酸菌の醗酵物２０がコーティングされるか、または構成要素の射出成形時に前記キムチ乳酸菌の醗酵物２０が共に射出されてキムチ乳酸菌の醗酵物２０が各構成要素に含まれる。
【００２９】
以下では、本発明の思想による空気調和機１０を構成する各構成要素の機能及びキムチ乳酸菌の醗酵物２０の形成位置に対して詳細に説明する。
【００３０】
図３は前記空気調和機をなす前方フレームの背面斜視図である。
【００３１】
図３を参照すると、本発明の思想による前方フレーム２００は前方部の外観を形成すると共に前記本体１００内部の空気が室内に吐出されるようにする役割をする。
【００３２】
そして、前記前方フレーム２００は後側が開口されたボックス形態を有する。そして、前記前方フレーム２００の左右側面には上下で長く側面吐出口２０２、２０４が形成されて、前記前方フレーム２００の上面には左右で長く上面吐出口２０６が形成される。そして、前記各吐出口２０２、２０４、２０６には前記吐出口２０２、２０４、２０６を選択的に遮蔽させる吐出ベーン２０３、２０５、２０７がそれぞれ装着される。
【００３３】
そして、前記吐出ベーン２０３、２０５、２０７は前記前方フレーム２００に回動可能に装着されて使用者の選択によって吐出される空気の方向が調節されるようにする。そして、前記吐出ベーン２０３、２０５、２０７は空気調和機が作動しない場合には、前記吐出口２０２、２０４、２０６を遮蔽させて室内空気が前記吐出口２０２、２０４、２０６を通じて本体１００の内部に流入されることを防止する。
【００３４】
したがって、前記本体１００の内部で調和された空気は前記側面吐出口２０２、２０４を通じて前記本体１００の両側方に吐出され、前記上面吐出口２０６を通じて前記本体１００の上方に吐出される。このように前記本体１００の空気が両側方及び上方に吐出されることで、空気調和のための空間の空気を３方向で立体的に空気調和するようになる。
【００３５】
そして、前記前方フレーム２００は内部面に前記本体１００の内部に吸入される空気中の細菌を殺菌することができるキムチ乳酸菌の醗酵物２０がコーティングされるか、または前記前方フレーム２００の射出成形時に前記キムチ乳酸菌の醗酵物２０が共に射出されてキムチ乳酸菌の醗酵物２０が前記前方フレーム２００自体に含まれることができる。
【００３６】
また、前記吐出ベーン２０３、２０５、２０７もその表面に前記キムチ乳酸菌の醗酵物２０がコーティングされるか、または前記キムチ乳酸菌の醗酵物２０が含まれた射出材料として共に射出成形されることができる。
【００３７】
図４は前記空気調和機をなす後方フレームの前面斜視図である。
【００３８】
図４を参照すると、前記後方フレーム３００は前記前方フレーム２００の後方に装着されて前記本体１００の後面の外観を形成して、上面と下面が開口された形象を有する。そして、前記後方フレーム３００の開口された上面には上面パネル３１０が結合される。
【００３９】
また、前記後方フレーム３００はその内側面に前記キムチ乳酸菌の醗酵物２０がコーティングされるか、または前記キムチ乳酸菌の醗酵物２０が含まれた射出材料として共に射出成形されることができる。
【００４０】
そして、前記上面パネル３１０も、またその内側面に前記キムチ乳酸菌の醗酵物２０がコーティングされるか、または前記キムチ乳酸菌の醗酵物２０が含まれた射出材料として共に射出成形されることができる。
【００４１】
図５は前記空気調和機をなす吸入ユニットの斜視図である。
【００４２】
図５を参照すると、本発明の思想による吸入ユニット４００は上述したように前記前方フレーム２００の下方両側に一対が提供されて、左側吸入ユニットと右側吸入ユニットで区分される。そして、前記吸入ユニット４００は前記前方フレーム２００と前記ベース６００に対して回動可能に装着される。
【００４３】
詳しくは、前記吸入ユニット４００は、外形をなして、側面吸入口４１２が形成されるフレーム４１０と、前記フレーム４１０の一方の側に結合され、前記側面吸入口４１２を選択的に遮蔽させる吸入ベーン４２０と、吸入される空気を浄化させる吸入フィルター４３０が含まれる。
【００４４】
さらに詳しくは、前記フレーム４１０は上方で見る時、略“Ｌ”形象で形成され、外側面に室内空気が本体１００の内部に吸入されるようにする側面吸入口４１２が上下で長く形成される。そして、前記側面吸入口４１２の内側には空気の流動通路を提供する吸入グリル４１４が形成される。そして、前記吸入ベーン４２０は前記フレーム４１０に回動可能に装着される。そして、前記フレーム４１０には、前記吸入フィルター４３０が収容される吸入フィルター収容溝４１５が形成される。よって、前記吸入フィルター４３０は前記吸入フィルター収容溝４１５にスライディング挿入される。
【００４５】
また、前記フレーム４１０の内側には略“┐”形象で形成されて、キムチ乳酸菌の醗酵物が内包されているキムチ乳酸菌の醗酵物フィルター（３０、以下‘キムチ菌フィルター'と称する)が装着されるガイド部４１６が形成される。よって、前記キムチ菌フィルター３０は前記ガイド部４１６によって前記フレーム４１０にスライディング（滑動）装着される。
【００４６】
そして、前記吸入ユニット４００すなわち、前記フレーム４１０、吸入ベーン４２０及び吸入グリル４１４は、室内空気と接触する部分に前記キムチ乳酸菌の醗酵物２０がコーティングされるか、またはキムチ乳酸菌の醗酵物２０が共に射出成形されて、その自体にキムチ乳酸菌の醗酵物２０が含まれるように形成される。
【００４７】
また、前記吸入フィルター４３０は前記キムチ乳酸菌の醗酵物２０がコーティングされるか、またはキムチ乳酸菌の醗酵物２０が共に射出成形されて、その自体にキムチ乳酸菌の醗酵物２０が含まれるように形成されることができる。
【００４８】
ここで、本実施例は前記キムチ菌フィルター３０が前記吸入ユニット４００に装着されるように構成されるが、これと他に前記キムチ菌フィルター３０を前記吸入ユニット４００の周りに別途の部材によって支持されるようにすることができる。
【００４９】
一方、前記キムチ菌フィルター３０は全体的に外形が直四角形模様のフレーム３１を有する。そして、前記フレーム３１にはキムチ乳酸菌の醗酵物が含まれているフィルター網３２が装着される。望ましくは、前記フィルター網３２は、ハニカム模様または束子模様のような板状の纎維材質でなされた網状で成形される。しかし、前記のような模様以外に網型、綿型などの多様な模様が提示されることができる。
【００５０】
そして、前記キムチ菌フィルター３０は不織布やろ過紙などのフィルターにキムチ乳酸菌の醗酵物が塗布またはコーティングされるか、または前記不織布や濾紙などが２重で重なってなされた空間にキムチ乳酸菌の醗酵物が挿入されて形成されるか、または原材料をなす物質に含まれて共に射出成形されることができる。前記キムチ菌フィルター３０の成形方法に対しては後述する。
【００５１】
図６は前記空気調和機をなす前面ドアの背面斜視図である。
【００５２】
図６を参照すると、本発明の思想による前面ドア５００は前記前方フレーム２００の前面に装着される。
【００５３】
そして、前記前面ドア５００は外観を形成するドアフレーム５１０と該ドアフレーム５１０に安着されるフロントパネル５２０が含まれる。
【００５４】
そして、前記前面ドア５００すなわち、前記ドアフレーム５１０及びフロントパネル５２０は内面に前記キムチ乳酸菌の醗酵物２０がコーティングされるか、または前記キムチ乳酸菌の醗酵物２０が含まれた射出材料として共に射出成形されることができる。
【００５５】
図７は本発明の思想による空気浄化機の分解斜視図である。
【００５６】
図７を参照すると、本発明の思想による空気浄化機３５０は前記送風部３４０の前方に設置されて、外観を形成するケーシング３５１と、吸入された室内空気を浄化する多数個のフィルターで構成される。そして、前記多数個のフィルターは集塵フィルター３５２と、脱臭フィルター３５４と、抗菌フィルター３５６と、プラズマフィルター３５８のうちで少なくともいずれか一つと、キムチ菌フィルター３０が含まれる。
【００５７】
詳しくは、前記ケーシング３５１は前記多数個のフィルターが収容される空間が形成されるようにその前後面及び上面が開放されたボックス形象をなして、前記キムチ乳酸菌の醗酵物２０がコーティングされるか、または共に射出成形される。そして、前記ケーシング３５１には前記集塵フィルター３５２と、脱臭フィルター３５４と、抗菌フィルター３５６と、プラズマフィルター３５８、キムチ乳酸菌の醗酵物フィルター３０が収容されるフィルター収容部３５２aないし３６０aがそれぞれ形成される。
【００５８】
そして、前記ケーシング３５１の後側には前記送風部３４０に結合されるための着脱フック３５１aが形成される。この時前記送風部３４０には、前記着脱フック３５１aが締結されるフック締結ホールが形成されることは勿論である。ここで、本発明の思想は提示された前記空気浄化機３５０の結合方法で制限されないことを明らかにしておく。
【００５９】
そして、前記集塵フィルター３５２は空気中の比較的大きい大きさを有するほこりなどをろ過するように網形象をなして形成される。
【００６０】
そして、前記脱臭フィルター３５４は空気中のにおいを誘発する微細な粒子などをろ過するように形成される。
【００６１】
そして、前記抗菌フィルター３５６は通常の細菌を吸着または滅菌するように滅菌剤などが塗布されて形成される。
【００６２】
そして、前記プラズマフィルター３５８は通常の空気中の微細なほこり及び粒子などをイオン化して、イオン化された粒子を吸着させて除去するようにプラズマが放出される装置で構成される。
【００６３】
この時、前記集塵フィルター３５２、脱臭フィルター３５４、抗菌フィルター３５６、プラズマフィルター３５８のうち少なくともいずれか一つにキムチ乳酸菌の醗酵物２０が塗布またはコーティングされることができる。
【００６４】
ここで本実施例は、前記本体１００の内部に吸入される空気を浄化するために、前記送風部３４０の前端部に空気浄化機３５０が具備されるようにするが、これと他に前記本体１００の内部に吸入される空気を浄化するために、前記送風部３４０の前端部に放電によって吸入される空気中のほこりを集塵する集塵機３６０が具備されるようにすることができる。
【００６５】
前記集塵機３６０に対しては以下で説明する。
【００６６】
図８は本発明の一実施例による集塵機の分解斜視図である。
【００６７】
図８を参照すると、前記集塵機３６０は上述したように前記送風部３４０、より詳細には、前記ファンハウジング３４６に装着される。
【００６８】
そして、前記集塵機３６０は集塵がなされる集塵フレーム３７０と、該集塵フレーム３７０を通過した空気中の細菌を殺菌させるキムチ菌フィルター３０と、前記集塵フレーム３７０及びキムチ菌フィルター３０が安着されるホルダー３８０が含まれる。
【００６９】
詳しくは、前記集塵フレーム３７０は左右方向に長く多数個が配列されて、外部から電力の供給を受けて放電しながら集塵作用を遂行する放電線３７２と、両側面に具備されて、前記放電線３７２が電気的に連結される接点部３７４と、前記放電線とおおよそ直交方向に形成されて強度を補強する補強リブ３７６が含まれる。
【００７０】
また、前記ホルダー３８０は前記集塵フレーム３７０及びキムチ菌フィルター３０が安着される安着部３８２と、前記集塵フレーム３７０及びキムチ菌フィルター３０を支持する支持リブ３８４と、前記安着部３８２内側の前記接点部３６４と対応される位置に形成される電極３８６と、該電極３８６に外部の電源が印加されるようにするリード線３８８が含まれる。
【００７１】
一方、前記集塵フレーム３７０は、前記キムチ菌フィルター３０が先に前記安着部３８２に安着された後に安着される。すなわち、前記キムチ菌フィルター３０は、前記集塵フレーム３７０の後側に位置するようになる。よって、前記本体１００の内部に吸入された空気は前記集塵フレーム３７０を通過した後に前記キムチ菌フィルター３０を通過するようになって、前記キムチ菌フィルター３０を通過する過程で空気中の細菌が殺菌される。
【００７２】
また、前記キムチ菌フィルター３０が前記ホルダー３８０に安着されるように構成されることによって前記キムチ菌フィルター３０を固定または締結するための別途の締結部材が必要でなくなる。
【００７３】
ここで、本実施例は前記キムチ菌フィルター３０が前記安着部３８２に安着されるように構成されるが、これと他に前記キムチ菌フィルター３０が前記集塵機３６０の外側に装着されるように構成されることができる。すなわち、前記キムチ菌フィルター３０は前記集塵フレーム３７０の前面またはホルダー３８０の後面に装着されることができるし、この場合前記集塵フレーム３７０またはホルダー３８０には前記キムチ菌フィルター３０が装着及び固定されるようにするガイド部がさらに形成されることができる。
【００７４】
図９は前記空気調和機を構成する送風部の分解斜視図である。
【００７５】
図９を参照すると、本発明の思想による送風部３４０は前記ドレーン部３３０の下側に装着される。
【００７６】
そして、前記送風部３４０は回転運動することで、前記本体１００内部の空気を強制流動させる送風ファン３４２と、該送風ファン３４２に回転動力を伝達する回転モーター３４４と、前記送風ファン３４２を囲むように成形されて、前記送風ファン３４２を保護しながら前記送風ファン３４２の回転運動による空気の流動を案内するファンハウジング３４６が含まれる。
【００７７】
そして、前記送風ファン３４２、回転モーター３４４及びファンハウジング３４６はその全体表面にキムチ乳酸菌の醗酵物２０がコーティングされるか、またはキムチ乳酸菌の醗酵物２０が共に射出成形されてその自体にキムチ乳酸菌の醗酵物２０が含まれるように形成される。
【００７８】
そして、前記ファンハウジング３４６には前記空気浄化機３５０のケーシング３５１に形成される着脱フック３５１aが締結されるフック締結ホール（孔）３４６aが形成される。
【００７９】
図１０は図９の送風部の他の実施例を示す斜視図である。
【００８０】
図１０を参照すると、本実施例による送風部３４０にはキムチ菌フィルター３０が装着されることを特徴とする。
【００８１】
詳しくは、前記ファンハウジング３４６の前面には略“┐”形象で形成されて、前記キムチ菌フィルター３０が前記ファンハウジング３４６に固定されるようにする一対のガイド部３４７が上下方向に形成される。そして、前記キムチ菌フィルター３０は前記ガイド部３４７によって前記フレーム４１０にスライディング装着される。
【００８２】
図１１は前記空気調和機を構成する熱交換器の斜視図である。
【００８３】
図１１を参照すると、本発明の思想による熱交換器３２０は前記後方フレーム３００の上部内側に上／下方向に長く配列される。
【００８４】
そして、前記熱交換器３２０はその内部に室外機で冷却した冷媒が流動されるように多数の支点で折り曲げられた冷媒管３２２と、該冷媒管３２２の外側に形成されてその内部に流動される冷媒と本体１００の内部で流動される空気の接触面が増加されるように多数の放熱フィン３２４が含まれる。
【００８５】
そして、前記冷媒管３２２と前記放熱フィン３２４は、表面に前記キムチ乳酸菌の醗酵物２０がコーティングされるか、またはキムチ乳酸菌の醗酵物２０が共に射出成形されて、その自体にキムチ乳酸菌の醗酵物２０が含まれるように形成される。
【００８６】
一方、前記熱交換器３２０の下側には前記熱交換器３２０と空気が接して冷却されながら、凝縮水が生成されて落下する凝縮水を前記熱交換器３２０の下部で受けるようにするドレーン部(図２の３３０参照)が装着される。
【００８７】
そして、前記ドレーン部(図２の３３０参照)は、その表面に前記キムチ乳酸菌の醗酵物２０がコーティングされるか、またはキムチ乳酸菌の醗酵物２０が共に射出成形されてその自体にキムチ乳酸菌の醗酵物２０が含まれるように形成される。
【００８８】
図１２は前記空気調和機をなすベースの斜視図である。
【００８９】
図１２を参照すると、本発明の思想によるベース６００は前記後方フレーム３００の下方に装着されて、前記本体１００を支持する。すなわち、前記ベース６００の上面後半部には前記後方フレーム３００が締結されて、上面前半部には前記吸入ユニット４００が結合される。
【００９０】
そして、前記ベース６００には前記本体１００の前方で空気が吸入されるようにする前面吸入口６０２が形成される。そして、前記ベース６００の上側には前記前面吸入口６０２を通じて吸入された空気を浄化させる多数個のフィルター６１０が提供される。そして、前記各フィルター６１０はケーシング６１２にスライディング装着される。そして、前記前面吸入口６０２には前記前面吸入口６０２を選択的に遮蔽させる吸入ベーン６０４が回動可能に装着される。
【００９１】
そして、前記ベース６００及び前記吸入ベーン６０４はその表面、特に内面にキムチ乳酸菌の醗酵物２０がコーティングされるか、またはキムチ乳酸菌の醗酵物が共に射出成形されて、その自体にキムチ乳酸菌の醗酵物２０が含まれるように形成される。
【００９２】
また、前記ケーシング６１２もその表面にキムチ乳酸菌の醗酵物２０がコーティングされるか、またはキムチ乳酸菌の醗酵物２０が共に射出成形されてその自体にキムチ乳酸菌の醗酵物２０が含まれるように形成される。
ここで、前記ベース６００及びケーシング６１２の表面にキムチ乳酸菌の醗酵物がコーティングされるか、またはキムチ乳酸菌の醗酵物２０が共に射出成形されて、その自体にキムチ乳酸菌の醗酵物２０が含まれるように形成されるようにしないで、前記ケーシング６１２に挿入される多数個のフィルターのうちでいずれか一つにキムチ乳酸菌の醗酵物２０が塗布またはコーティングされるようにするか、または前記多数個のフィルターと別個でキムチ菌フィルター３０が前記ケーシング６１２に装着されるようにすることもできる。
【００９３】
以下では本発明によるキムチ乳酸菌の醗酵物２０をコーティングする望ましい方法と、成形する望ましい方法を説明する。
【００９４】
Ａ．キムチ乳酸菌の醗酵物のコーティング方法１
キムチ乳酸菌の醗酵物のコーティング方法１は、キムチ乳酸菌の醗酵物とバインダーの混合溶液を部材の表面にコーティングすることでなされる。
【００９５】
詳しくは、前記キムチ乳酸菌の醗酵物はキムチ乳酸菌の培養液、培養液の濃縮液、培養液の乾燥物及びこれらの混合物でなされた群から選択されることができる。前記キムチ乳酸菌はロイコノストック(Leuconostoc)属キムチ乳酸菌、ラクトバチルス(Lactobacillus)属キムチ乳酸菌、ウェイッセラ(Weissella)属キムチ乳酸菌及びこれらの混合物のうちから選択されることができる。
【００９６】
そして、前記バインダーはシリコーン変性アクリル樹脂、ウレタン樹脂、アクリル樹脂及びシリコーン樹脂でなされた群から選択されることができる。
【００９７】
そして、前記部材は細菌やウイルスなどが接触、増殖可能性がある各種部材であることがあるし、またフィルターを構成することができる。
【００９８】
そして、前記コーティング段階はキムチ乳酸菌の醗酵物とバインダーの混合溶液を部材表面に噴射するか、または前記混合溶液に部材を浸漬することでなされることができる。
【００９９】
さらに詳しくは、前記キムチ乳酸菌の醗酵物はキムチの熟成過程で出現するものであり、直接キムチから抽出して使用するか、または市販キムチ乳酸菌を購入してこれを培養して使用することができるし、特別な制限なしにどのような状態の物も使用可能である。そして、前記キムチ乳酸菌はロイコノストック(Leuconostoc)属キムチ乳酸菌、ラクトバチルス(Lactobacillus)属キムチ乳酸菌、ウェイッセラ(Weissella)属キムチ乳酸菌及びこれらの混合物でなされた群から選択されることができる。特に、ロイコノストック(Leuconostoc)属キムチ乳酸菌が望ましくて、このうちでもさらに望ましいものは、ロイコノストックシトレウム(Leuconostoc citreum)、キムチ乳酸菌発酵エキス(Leuconostoc kimchii)、ロイコノストックメゼンテロイド(Leuconostoc mesenteroides)及びこれらの混合乳酸菌でなされた群から選択されたキムチ乳酸菌の醗酵物である。一番望ましくは、ロイコノストックシトレウム(Leuconostoc citreum)が一番抗菌性が優秀である。
【０１００】
そして、バインダーとしてはシリコーン変性アクリル樹脂、ウレタン樹脂、アクリル樹脂及びシリコーン樹脂などを使用することができるし、これに限定されない多数のバインダーを使用することができる。バインダーを使用する場合にキムチ乳酸菌の醗酵物を容易に部材表面に粘着させることができるだけでなく、部材表面とキムチ乳酸菌の醗酵物の相互結合力を良くしてキムチ乳酸菌の醗酵物の湧出率を減少させることで抗菌性能がよく維持されるようにする。
【０１０１】
本発明による部材は細菌やウイルスなどが接触、増殖する可能性がある各種物体であることができる。例えば、熱可塑性樹脂や熱硬化性樹脂、ゴム、金属などが可能であり、このような材料らはそれぞれその材質の特性によって用途別で多様に使用することができる。
【０１０２】
また本発明による部材は、空気浄化フィルターであることがある。この時に部材原料としては、空気浄化フィルターとしての機能を具備したものであると、その種類、形態、大きさ及びその製造方法に特別な制限がない。例えば、ガラス繊維、イオン交換纎維、セルロース纎維、アスベスト纎維などのガラス繊維と各種有機纎維、無機纎維を使用することができるし、亜鉛、銅、アルミニウムなどの金属またはプラスチックも使用することができるし、このような材料らはそれぞれその材質の特性によって用途別で多様に使用することができる。また形象もハニコム型、粒子型、網型、ろ過紙型、綿型、メッシュ型、プレート型及びフォーム型など特別な制限なしに適用される空気浄化装置によって適切に変形して使用することができる。
【０１０３】
そして、前記フィルターは活性炭フィルターなどの脱臭フィルター、ヘパフィルター、そして自動車の空気浄化装置などのフィルターに使用されるか、これらと併用して使用されることができる。また、本発明による部材は空気浄化フィルター以外にも浄水フィルターにも適用されることができる。
【０１０４】
一方、前記キムチ乳酸菌の醗酵物を部材にコーティングする過程は、キムチ乳酸菌の醗酵物とバインダーを混合した後、その混合溶液を部材の表面にスプレー方式で噴射するか、または混合溶液が入っていた容器に物体を浸漬させてなされることができる。
【０１０５】
そして、混合溶液の製造方法はキムチ乳酸菌の醗酵物が部材表面にコーティングされることができる程度にバインダーと混合することができれば、特別な制限がない。混合溶液内のキムチ乳酸菌の醗酵物の濃度はコーティングしようとする部材の全体重量１００重量％に対して０．００１〜２０重量％が望ましく、コーティングしようとする部材の全体重量１００重量％に対して５〜２０重量％がさらに望ましいが、これに限定されるものではなく、必要によって適切に調節して使用することができる。キムチ乳酸菌の醗酵物とバインダー含量の割合は特別な制限がなく、必要によって適切に調節して使用することができる。
【０１０６】
一方、コーティングの前段階で対象部材を適当な洗浄水で洗浄するか、または洗浄後に熱処理などで乾燥する段階を追加することができる。また、コーティング後に熱処理などで乾燥する段階を追加することができる。部材を乾燥する場合にその乾燥時間及び乾燥温度は使用する部材の形態、種類、大きさなどによって調節可能である。場合によって部材が金属成分である場合には、その製造過程や保管中に物体表面に付着したオイル成分を除去することが望ましい。
【０１０７】
Ｂ．キムチ乳酸菌の醗酵物のコーティング方法２
キムチ乳酸菌の醗酵物のコーティング方法２は、キムチ乳酸菌の醗酵物、無機抗菌剤及びバインダーを同時にまたは順次に部材の表面にコーティングすることでなされる。無機抗菌剤はナノ金属粒子を含むことができる。
【０１０８】
詳しくは、前記ナノ金属粒子は殺菌機能を有する金属粒子であることができるし、前記金属粒子は銀(Ag)、亜鉛(Zn)、銅(Cu)、白金(Pt)、鉄(Fe)、カドミウム(Cd)、パラジウム(Pd)、ロジウム(Rh)、クロム(Cr)などの粒子であり、単独で使用するか２種以上の合金で使用することができる。
【０１０９】
そして、前記コーティング段階は、i)キムチ乳酸菌の醗酵物とバインダー、及び無機抗菌剤の混合溶液を部材表面に噴射するか、または前記混合溶液に部材を浸漬することで同時になされるか、または、ii)部材に無機抗菌剤をコーティングした後、銀がコーティングされた部材にキムチ乳酸菌の醗酵物を固定化することで順次になされることができる。
【０１１０】
さらに詳しくは、前記ナノ金属粒子はナノ化された金属粒子を示すことで、その製造方法に特別な制限なしに、ナノ大きさで微粒化された金属粒子ならどのようなものでも使用することができる。このようなナノ金属粒子はバクテリア、かびなどの微生物の生殖機能を抑制することで、微生物の増殖を制限する一方、細胞中に侵透して微生物の呼吸時に必要な酵素の機能を停止させることで新陳代謝を阻んで殺菌がなされるようにする。特に、銀(Ag)、亜鉛(Zn)、及び銅(Cu)金属粒子は抗菌作用、環境と人体に対する安全性などの観点で望ましくて、銀(Ag)がさらに望ましい。
【０１１１】
そして、キムチ乳酸菌の醗酵物及び無機抗菌剤を部材にコーティングする過程は、キムチ乳酸菌の醗酵物、無機抗菌剤及びバインダーを混合した後、その混合溶液を部材の表面にスプレー方式で噴射するか、または混合溶液が入っていた容器に部材を浸漬させてなされることができる。混合溶液の製造方法は、キムチ乳酸菌の醗酵物、無機抗菌剤及びバインダーが部材表面にコーティングされることができる程度に混合することができれば、特別な制限がない。混合溶液内のキムチ乳酸菌の醗酵物の濃度はコーティングしようとする部材の全体重量１００重量％に対して０．００１〜２０重量％が望ましくて、コーティングしようとする部材の全体重量１００重量％に対して５〜２０重量％がさらに望ましいが、これに限定されるものではなく、必要によって適切に調節して使用することができる。また無機抗菌剤は１００ｐｐｍないし２０００ｐｐｍ以下の範囲が望ましいが、これに限定されるのではなく、必要によって適切に調節して使用することができる。キムチ乳酸菌の醗酵物、無機抗菌剤及びバインダーの含量割合は特別な制限がないし、必要によって適切に調節して使用することができる。
【０１１２】
他の方法として、前記コーティング過程は部材表面に先ず無機抗菌剤をコーティングした後、銀がコーティングされた部材にキムチ乳酸菌の醗酵物をコーティングすることで、順次になされることができる。部材表面に無機抗菌剤をコーティングする段階は、当該技術分野で通常の方法によって遂行可能であり、場合によっては部材の特性によって無機抗菌剤がコーティングされるのに好適な状態に変更することが必要である。また、キムチ乳酸菌の醗酵物を無機抗菌剤がコーティングされた部材上にコーティングする段階も当該技術分野で、一般的に使用される方法なら特別な制限なしに使用することができる。キムチ乳酸菌の醗酵物を無機抗菌剤がコーティングされた部材上にコーティングするためには、化学的、物理的方法を使用して用途に合うように適切な方法を使用すると良い。この時のコーティングも噴射、浸漬など部材表面に均等に塗布することができることなら、どの方法でも使用することができる。
【０１１３】
一方、コーティングの前段階で対象部材を適当な洗浄水で洗浄するか、または洗浄後に熱処理などで乾燥する段階を追加することができる。また、コーティング後に熱処理などで乾燥する段階を追加することができる。部材を乾燥する場合に、その乾燥時間及び乾燥温度は使用する部材の形態、種類、大きさなどによって調節可能である。場合によって部材が金属成分である場合には、その製造過程や保管中に部材表面に付着したオイル成分を除去することが望ましい。
【０１１４】
Ｃ．キムチ乳酸菌の醗酵物の成形方法
キムチ乳酸菌の醗酵物の成形方法はキムチ乳酸菌の醗酵物及び原材料を配合して成形することでなされる。また、キムチ乳酸菌の醗酵物及び原材料の配合物で外層を成形して、キムチ乳酸菌の醗酵物の含量が外層より低い配合物または原材料だけで内層を成形することでなされることもできる。
【０１１５】
詳しくは、前記原材料はシリコーン(Silicone)、ポリウレタン(Polyurethane)、ポリエチレン(Polyethylene)、ポリプロピレン(Polypropylene、ＰＰ)、ポリ塩化ビニル(Poly vinyl chloride、ＰＶＣ)、ラテックス(Latex)、ＡＢＳ樹脂(Acrylonitrile Butadiene Styrene)、ＰＴＦＥ(Poly tetra fluoro ethylene)、ポリカーボネート(Polycarbonate、ＰＣ)、ポリビニールアルコール(Poly vinyl alcohol、ＰＶＡ)及びこれらの混合物でなされた群から選択されることができる。
【０１１６】
成形時にキムチ乳酸菌の醗酵物と原材料の配合割合は特別な制限がなく、必要によって適切に調節して使用することができる。前記キムチ乳酸菌の醗酵物及び原材料の配合方法は部材の形象を成形することができる程度に配合することができれば、特別な制限がない。キムチ乳酸菌の醗酵物の濃度は原材料の全体重量１００重量％に対して０．００１〜２０重量％が望ましくて、原材料の全体重量１００重量％に対して５〜２０重量％がさらに望ましいが、これに限定されるものではなく、必要によって適切に調節して使用することができる。また、ナノ金属粒子を添加する場合、１００ｐｐｍないし２０００ｐｐｍ以下の範囲が望ましいが、これに限定されるものではなく、必要によって適切に調節して使用することができる。
【０１１７】
成形工程は、キムチ乳酸菌の醗酵物と原材料を配合して、部材を一定形象で成形する金型を準備して、前記金型にキムチ乳酸菌の醗酵物の配合物を注入して圧出または射出成形する過程を含んでなされる。キムチ乳酸菌の醗酵物及び原材料の配合方法は部材の形象を成形することができる程度に配合することができれば、特別な制限がない。成形温度は特別な制限なしに可能であるが、部材の原材料特性などを考慮して必要によって調節する必要があり、キムチ乳酸菌の醗酵物の変性などを考慮して１００℃ないし１８０℃が適当である。
【０１１８】
また、成形工程はキムチ乳酸菌の醗酵物及び原材料の配合物で外層を成形して、キムチ乳酸菌の醗酵物の含量が外層より低い配合物または原材料だけで内層を成形することでなされることができる。一例で、キムチ乳酸菌の醗酵物と原材料を配合してキムチ菌射出物を成形して、キムチ乳酸菌の醗酵物の含量が前記キムチ菌射出物より低い配合物または原材料だけで前記キムチ菌射出物とは別途の射出物を成形した後に、相互結合させることでなされることができる。一般に、細菌やウイルスなどが接触、増殖する可能性の大きい部位は物品の内部よりは、空気や水などの細菌、ウイルスなどが伝播される媒質と接触している外部であるので、キムチ乳酸菌の醗酵物が部材の内外部に均一に配合させないで、外部に集中的に配合されるようにして同量の抗菌剤を使いながらも、直接的な抗菌效果を高めることができるようになる。
【０１１９】
Ｄ．キムチ乳酸菌の醗酵物をカプセル化して成形する方法
キムチ乳酸菌の醗酵物をカプセル化して成形する方法は、キムチ乳酸菌の醗酵物カプセル及び原材料を配合して成形することでなされる。また、キムチ乳酸菌の醗酵物カプセル及び原材料の配合物で外層を成形して、キムチ乳酸菌の醗酵物の含量が外層より低い配合物または原材料だけで内層を成形することでなされることもできる。
【０１２０】
詳しくは、キムチ乳酸菌の醗酵物カプセルはメラミン、ポリウレタン、ゼラチン、アクリル、エポキシ、澱粉、アルジネイト、キトサンまたはその混合物でなされた群から選択されたことでカプセル化される。
【０１２１】
そして、キムチ乳酸菌の醗酵物カプセルは芯(core)物質と壁(wall)物質で構成されて、芯物質としては抗菌剤、消臭剤、芳香剤などの目的物質を使用して、壁物質としては、合成または天然高分子を使用して薄い膜を形成させて、マイクロまたはナノ大きさの粒子を有するようにしている。壁物質として特別な制限なしに、キムチ乳酸菌の醗酵物を含むことができるものであると使用することができるし、例えばメラミン、ポリウレタン、ゼラチン、アクリル、エポキシ、澱粉、アルジネイト、キトサンまたはその混合物などを使用することができる。キムチ乳酸菌の醗酵物をカプセル化させることで、部材の成形温度でキムチ乳酸菌の醗酵物が変性する可能性を排除できるので、抗菌性をさらに向上、維持させることができるようになる。
【０１２２】
成形工程は、キムチ乳酸菌の醗酵物をカプセル化して、カプセル化されたキムチ乳酸菌の醗酵物と原材料を配合して、部材を一定形象で成形する金型を準備して、前記金型にキムチ乳酸菌の醗酵物の配合物を注入して、圧出または射出成形する過程を含んでなされる。キムチ乳酸菌の醗酵物及び原材料の配合方法は部材の形象を成形することができる程度に配合することができれば、特別な制限がない。成形温度は特別な制限なしに可能であるが、部材の原材料特性などを考慮して必要によって調節する必要があり、温度に対する変性に備えてキムチ乳酸菌の醗酵物をカプセル化させることでカプセル化されないキムチ乳酸菌の醗酵物より高い温度条件、例えば１００℃ないし２５０℃が適当である。
【０１２３】
また成形工程は、キムチ乳酸菌の醗酵物カプセル及び原材料の配合物で外層を成形して、キムチ乳酸菌の醗酵物の含量が外層より低い配合物または原材料だけで、内層を成形することでなされることができる。一般に、細菌やウイルスなどが接触、増殖する可能性の大きい部位は部材の内部よりは、空気や水など細菌、ウイルスなどが伝播される媒質と接触している外部であるので、キムチ乳酸菌の醗酵物が部材の内外部に均一に配合させないで、外部に集中的に配合されるようにして、同量の抗菌剤を使用しながらも直接的な抗菌效果を高めることができるようになる。
【０１２４】
以下で実施例を例にして説明する。但し、下記実施例は本発明を例示するものであるだけで、本発明の内容が下記実施例に限定されるものではない。
【０１２５】
実施例１
エアフィール社で購入したアルミニウムメッシュを２．５％ＮａＯＨに３分ぐらいつけてオイル成分を除去した。その後オイル成分を除去したアルミニウムメッシュを２．５％ＮａＯＨで洗浄した。この過程を７回繰り返した。このように得られた洗浄されたアルミニウムメッシュを４０℃で温度が調節された乾燥オーブンで２時間の間に熱処理した。キムチ乳酸菌の醗酵物、シリコーン変性アクリルバインダーを混合して混合溶液を製造した後、前記熱処理されたアルミニウムメッシュに前記混合溶液を噴射してコーティングした。その結果、キムチ乳酸菌の醗酵物がコーティングされたアルミニウムメッシュを得た。
【０１２６】
実施例２
前記得られたキムチ乳酸菌の醗酵物がコーティングされた空気浄化フィルターの大膓菌、黄色葡萄状球菌、及び緑のう菌の菌株に対する抗菌性を測定するためにＫＳ Ｍ ０１４６-２００３の方法によって殺菌力を試験した。
【０１２７】
すなわち、高圧殺菌機、細菌培養恒温器、無菌箱、コロニーカウンター、恒温水槽、吸光光度計の試験装置を利用して大膓菌(Escherichia coli ＡＴＣＣ ２５９２２)、黄色葡萄状球菌(Staphylococcus aureus ＡＴＣＣ ６５３８)及び緑のう菌(Pseudomonas aeruginosa ＡＴＣＣ ２７８５３)の菌株に対してそれぞれ殺菌力を試験した。前記菌株(１．０mlずつ)を前記実施例１で得られた本発明によるキムチ乳酸菌の醗酵物含有フィルターであるアルミニウムメッシュフィルター(１．０cm×１．０cm)に塗布する。対照群(３種菌株だけをそれぞれ接種)３個、アルミニウムメッシュフィルター３個を三角フラスコに入れて３５±１℃、１２０ｒｐｍで３時間の間に培養した。その後、菌体を分離して生理食塩水に希薄させて３７℃で４８時間の間に平板培養した後、菌の数を確認した。その結果は表１ないし表３で示した。
【０１２８】
【表１】
2008544204.tif 000003
【０１２９】
【表２】
2008544204.tif 000004
【０１３０】
【表３】
2008544204.tif 000005
【０１３１】
前記表１ないし３から、本発明によるキムチ乳酸菌の醗酵物含有空気浄化フィルターは大膓菌、黄色葡萄状球菌、緑のう菌などの微生物に対する殺菌效果が著しく向上することを確認することができる。
【０１３２】
以下では前記の構成をなす空気調和機１０の作用に対して説明する。
先ず、使用者が前面ドア５００に具備された操作ボタンを押すと、前記殺菌空気調和機１０内部に電源が印加される。そうすると、前記本体１００内部の回転モーター３４４に電源が印加されて、前記回転モーター３４４の回転動力によって前記送風ファン３４２が回転するようになる。そして、前記送風ファン３４２の回転力によって前記吸入ユニット４００に形成される側面吸入口４１２及び前記ベース６００に形成された前面吸入口６０２に空気が吸入される。
【０１３３】
その後、前記側面吸入口４１２及び前面吸入口６０２を通じて吸入される空気中の細菌及び病源菌などは吸入ユニット４００及びベース６００のキムチ乳酸菌の醗酵物２０によって殺菌される。
【０１３４】
そして、前記本体１００の内部に吸入された空気は、前記送風ファン３４２の送風作用によって前記送風ファン３４２の方向に移動して、前記送風ファン３４２の前方に位置した前記空気浄化機３５０を通過しながら浄化されると共に前記キムチ乳酸菌の醗酵物２０によって細菌が殺菌される。
【０１３５】
また、前記送風部３４０のキムチ乳酸菌の醗酵物２０によって空気中の細菌が殺菌されて、前記送風ファン３４２またはファンハウジング３４６などに細菌が繁殖することが防止される。
【０１３６】
また、前記本体１００の内部に吸入された空気中の細菌は前記前方フレーム２００、後方フレーム３００、上面パネル３１０などの内側面にコーティングされるか、または共に射出されたキムチ乳酸菌の醗酵物２０によって前記本体１００の内部で粘着されて増殖することが防止される。
【０１３７】
そして、前記送風ファン３４２を通過した空気は上方の熱交換器３２０側に送風される。そして、前記熱交換器３２０側に送風された空気は前記熱交換器３２０の内部冷媒と熱交換されながら冷却または加熱されて、前記送風ファン３４２の持続的な送風作用で前記側面吐出口２０２、２０４及び上面吐出口２０６を通じて前記本体１００外部に吐出される。
【０１３８】
この時、前記熱交換器３２０の放熱フィン３２４と冷媒管３２２にキムチ乳酸菌の醗酵物２０がコーティングされるか、または射出されていて、前記放熱フィン３２４と冷媒管３２２に細菌が吸着されて繁殖することが防止されて、細菌の繁殖が容易な水分が常に存在するドレーン部３３０はキムチ乳酸菌の醗酵物２０がコーティングされるか、または共に射出成形されて前記細菌の繁殖が防止される。
【０１３９】
また、前記吐出口２０２、２０４、２０６側に具備された前記吐出ベーン２０３、２０５、２０７にキムチ乳酸菌の醗酵物２０がコーティングまたは射出されて前記吐出ベーン２０３、２０５、２０７に粘着される細菌が殺菌されながら細菌の増殖が防止される。
【０１４０】
したがって、空気調和機を構成する各部材にコーティングまたは射出されたキムチ乳酸菌の醗酵物２０によって吸入される空気中の細菌特に、サスウイルスまたは鳥インフルエンザウイルスなどが殺菌されて、前記各部材に細菌が粘着されて繁殖されることが防止される。
【０１４１】
図１３は本発明の他の実施例による空気調和機の斜視図であり、図１４は前記空気調和機の垂直断面図であり、図１５は前記空気調和機の空気清浄装置にキムチ菌フィルターが装着される様子を示す図面である。
本実施例において、原実施例と同一な構成に対しては同一な図面符号を付けることにする。
【０１４２】
図１３ないし図１５を参照すると、本実施例に発明の思想による殺菌空気調和機１０は外形をなす本体１００と、該本体１００の下方に結合されるベース６００と、前記本体１００の前方に結合されて前面外観を形成する前面ドア５００が含まれる。
【０１４３】
詳しくは、前記本体１００は前方部の側面外観を形成する前方フレーム２００と、後方部外観を形成する後方フレーム３００と、前記前方フレーム２００の下方両側に具備されて、前記本体１００の側面外観を形成する一対の吸入ユニット４００が含まれる。そして、前記吸入ユニット４００は前記本体１００の側面外観を形成すると共に前記吸入される空気の流動をガイドする。
【０１４４】
そして、前記本体１００の内部には室内空気を調和させる機能のみならず、独立的な動作によって室内空気を浄化させる空気清浄装置５５０がさらに含まれる。
【０１４５】
一方、前記前面ドア５００は前記前方フレーム２００の前面に装着される。そして、前記前面ドア５００の中央部には前記空気清浄装置５５０の内部に具備されるキムチ菌フィルター３０の交替を可能にさせる開閉部材５３０が回動可能に結合される。
【０１４６】
一方、前記空気清浄装置５５０は図１４に示すように前記本体１００の内部に別途の流路を形成すると共に前記空気清浄装置５５０の外形をなすケーシング５５１が具備される。そして、前記ケーシング５５１の上部には前記本体１００の前面と連通される清浄用吐出口５５４が形成されて、前記ケーシング５５１の下部には清浄用吸入口５５２が形成される。
【０１４７】
そして、前記ケーシング５５１の内部には前記ケーシング５５１の内部で空気が強制的に送風されるようにする送風装置５６０と、前記清浄用吸入口５５２を通じて吸入される空気中の細菌を殺菌させるためのキムチ菌フィルター３０が具備される。この時、前記キムチ菌フィルター３０は前記ケーシング５５１の内部に形成されるフィルター収容部５５８にスライディング挿入される。そして、前記フィルター収容部５５８には前記キムチ菌フィルター３０以外に空気を浄化させる浄化フィルター５８０がさらに具備されることができる。そして、前記浄化フィルター５８０は前記キムチ菌フィルター３０の下側または上側に位置されることができる。すなわち、キムチ菌フィルター３０を通過した空気が前記浄化フィルター５８０を通過するようにするか、または前記浄化フィルター５８０を通過した空気が前記キムチ菌フィルター３０を通過するようにできる。
そして、前記フィルター収容部５５８は前記キムチ菌フィルター３０と浄化フィルター５８０が別個に収容されるように区画されることができる。この時、前記浄化フィルター５８０にキムチ乳酸菌の醗酵物２０が塗布またはコーティングされることができる。
【０１４８】
そして、前記清浄用吐出口５５４側には前記清浄用吐出口５５４を選択的に遮蔽させる吐出グリル５５６が装着される。そして、前記吐出グリル５５６は使用者の選択によって空気の吐出方向が調節されるようにする。
【０１４９】
また、前記ケーシング５５１は内側面に前記キムチ乳酸菌の醗酵物がコーティングされるか、または前記キムチ乳酸菌の醗酵物が含まれた射出材料として共に射出成形されることができる。
【０１５０】
また、前記送風装置５６０及び吐出グリル５５６は表面に前記キムチ乳酸菌の醗酵物がコーティングされるか、または前記キムチ乳酸菌の醗酵物が含まれた射出材料として共に射出成形されることができる。
【０１５１】
一方、前記キムチ菌フィルター３０は前記開閉部材５３０の開閉によって前記本体１００の外部すなわち、前方で前記空気清浄装置５５０に装着される。この時、前記開閉部材５３０は前記キムチ菌フィルター３０と対応される位置に形成されることは勿論である。
【０１５２】
すなわち、図１５に示すように前記キムチ菌フィルター３０を装着させるためには先ず、前記開閉部材５３０を開放させる。そして、前記キムチ菌フィルター３０を前記フィルター収容部５５８に整列させる。そして、前記キムチ菌フィルター３０を前記フィルター収容部５５８に押し入れる。そうすると、前記キムチ菌フィルター３０は前記フィルター収容部５５８に装着される。ここで、前記浄化フィルター５８０もキムチ菌フィルター３０と同様な方法で装着または分離することができることは勿論である。
【０１５３】
したがって、前記本体１００の前方に開閉部材５３０が回動可能に具備されることによって使用者はキムチ菌フィルター３０を前記空気清浄装置５５０に容易に装着または分離することができるようになる。
【０１５４】
ここで、本実施例は前記キムチ菌フィルター３０が空気清浄装置５５０の清浄用吸入口５５２側に提供できるが、これと他に前記清浄用吐出口５５４側に提供されることもできる。
【０１５５】
そして、前記キムチ菌フィルター３０が前記清浄用吐出口５５４側に提供されるためには、前記開閉部材５１０は前記清浄用吐出口５５４と近接した位置に提供されて、前記フィルター収容部５５８もまた前記吐出口５５４側に形成されることができる。このような場合に前記空気清浄装置５５０に吸入された空気は前記送風装置５６０を通過した後に前記キムチ菌フィルター３０を通すようになって、前記キムチ菌フィルター３０を通過しながら細菌が殺菌されるようになる。この時、前記浄化フィルター５８０は清浄用吸入口５５２または清浄用吐出口５５４側のある位置に提供されることができる。
【０１５６】
図１６は本発明のまた他の実施例による空気調和機の外観斜視図であり、図１７は図１６のＩ-Ｉ'に沿って切開される空気調和機の概略的な構成を示す側断面図である。
【０１５７】
図１６及び図１７を参照すると、本実施例による空気調和機は室内底に常置されるスタンド型空気調和機７００であり、外観構造はバックカバー７１０と、該バックカバー７１０の前面に結合されるフロントカバー７２０と、前記バックカバー７１０及びフロントカバー７２０が安着されて、前方に底面吸入口７３２が形成されるベース７３０と、前記フロントカバー７２０の前面に結合されて、空気調和機の作動状態を示すためのディスプレー部が具備されるコントロールパネル７４０と、該コントロールパネル７４０の下側に結合されて、両側面に吸入口７５２が形成される吸入パネル７５０が含まれる。
【０１５８】
詳しくは、前記吸入パネル７５０の背面には空気中に含まれた異物をろ過するためのフィルター７５４が装着されて、前記吸入口７５２を通じて吸入される空気中に含まれたほこり、その他の異物をろ過する。そして、前記フロントカバー７２０の前面には前面吐出口７２４が形成されて、側面には側面吐出口７２２が形成される。そして、前記前面吐出口７２４には吐出グリル７２５が回動可能に装着されて、吐出される空気が室内隅まで広がるようにする。ここで、前記吐出グリル７２５は前面吐出口７２４のみならず、側面吐出口７２２にも装着されることができることは勿論である。
【０１５９】
また、前記前面吐出口７２４の上側には上部吐出口が形成されて、前記上部吐出口に上部吐出ルーバー７２６が上下方向に回転可能に装着される。そして、前記上部吐出ルーバー７２６のおおよそ中央部にはキムチ菌部材７７０が装着されて、吐出される空気中にキムチ乳酸菌の醗酵物がまじて放出されるようにする。
【０１６０】
一方、前記空気調和機１０の内部には室内空気を吸入して再び室内に吐出するファンアセンブリー７６０と、該ファンアセンブリー７６０によって吸入された室内空気が冷媒との熱交換を通じて温度が上昇または下降するようにする熱交換器７８０が装着される。
【０１６１】
また、前記ファンアセンブリー７６０は室内空気を吸入する送風ファン７６２と、該送風ファン７６２を囲んで吸入口と吐出口がそれぞれ具備されるファンハウジング７６４でなされる。
【０１６２】
また、前記フィルター７５４は嵩が大きいほこりをろ過するプレフィルターと、該プレフィルターを通過した微細なほこりをろ過するヘパフィルター(ＨＥＰＡ filter : High Efficiency Particulate Air filter)と、前記ヘパフィルターを通過した空気中に含まれた悪臭を除去する脱臭フィルターなどで構成される。
【０１６３】
前記のような構成をなす本発明による空気調和機７００の作動に対して説明すると、先ず空気調和機７００に電源が印加されると、前記ファンアセンブリー７６０が駆動して室内空気を吸入するようになる。詳しくは、前記ファンアセンブリー７６０の駆動によって室内空気は底面吸入口７３２と側面吸入口７５２を通じて吸入される。そして、ファンアセンブリー７６０によって吸入された室内空気は前記熱交換器７８０を通過しながら熱交換されて、温度が低くなるか、または高くなるようになる。
【０１６４】
一方、前記熱交換器７８０を通過しながら熱交換された空気は前記フロントカバー７２０の前面吐出口７２４と側面吐出口７２２及び吐出ルーバー７２６が具備された上部吐出口を通じて再び室内に吐出される。
【０１６５】
ここで、前記上部吐出口を通じて吐出される空気は、前記上部吐出ルーバー７２６に装着されたキムチ菌部材７６０を通過しながら、キムチ乳酸菌の醗酵物が空気中にまじるようにする。
【０１６６】
図１８は本発明の思想によるキムチ菌部材が空気調和機の上部吐出ルーバーに装着された様子を示す拡大斜視図である。
【０１６７】
図１８を参照すると、本発明によるキムチ菌部材７７０はキムチ乳酸菌の醗酵物が濃縮された固体形象のキムチ菌キット７７２と、前記上部吐出ルーバー７２６に形成されて、前記キムチ菌キット７７２が挿入されるようにするケース７７４と、前記キムチ菌キット７７２を覆って保護するカバー７７６が含まれる。
【０１６８】
詳しくは、前記ケース７７４は前記上部吐出ルーバー７２６に一体で射出成形されるか、または別途の単品に製作されて着脱可能に結合されることができる。そして、前記ケース７７４の内周面には前記キムチ菌キット７７２のスライディング挿入をガイドするためのガイド部材が形成されることができる。また、前記ケース７７４の後面には吐出される空気がケース７７４の内部に流入されるようにするための多数個のグリルが配列されるようにする。そして、前記カバー７７６の内側にも多数個の吐出ホールが形成されるようにして、ケース７７４の内部に流入された空気が室内に容易に吐出されるようにする。そして、前記キムチ菌キット７７２の交換が容易であるようにするために、前記カバー７７６が前記ケース７７４の前方に回動可能に結合されるようにすることが望ましい。
【０１６９】
図１９は図１６の空気調和機のまた他の実施例を示す斜視図である。
【０１７０】
図１９を参照すると、本実施例による空気調和機は壁面に装着可能な分離型空気調和機８００であり、少なくとも側面に吐出口８１１が形成されるバックカバー８１０と、該バックカバー８１０の前方に結合されて、上側に室内空気吐出口が形成されるフロントカバー８２０と、該フロントカバー８２０の前面に回動可能に結合されるフロントパネル８３０が含まれる。勿論、前記空気調和機８００の内部にはフィルターと熱交換器及び送風ファンが前後に配列されて、吸入される空気がフィルターによって浄化された後に熱交換器を通過して温度が下降または上昇して前記吐出口を通じて室内に再び吐出される。
【０１７１】
ここで、前記フロントパネル８３０は前記フロントカバー８２０の前面面積より小さく形成されて、フロントカバー８２０から前方に所定間隔で離隔されるように装着される。そして、前記フロントパネル８３０のわく部に形成される隙間が室内空気吸入口８３２になる。よって、前記空気調和機８００の前方わく部に形成された室内空気吸入口８３２を通じて室内空気が流入されて、側面及び前面上部吐出口に吐出される。
【０１７２】
また、前記フロントカバー８２０の上側に形成される前面上部吐出口には前面吐出ユニット８５０が装着されて、前記前面吐出ユニット８５０に前記キムチ菌部材８６０が装着される。そして、前記キムチ菌部材８６０は前記図１６ないし図１８で説明したところのような構造で形成される。
【０１７３】
また、前記前面吐出ユニット８５０は回動可能に装着されて、前記フロントパネル８３０は前記前面吐出ユニット８５０を除いた前記フロントカバー８２０の前面を覆う。そして、前記前面吐出ユニット８５０は前記空気調和機８００が作動しない状態では回転して吐出口を遮蔽して、空気調和機８００が作動する状態では再び回転して吐出口を開放するようにする。
【０１７４】
図２０は図１６の空気調和機のまた他の実施例を示す側断面図である。
【０１７５】
図２０を参照すると、本発明によるキムチ菌部材が内蔵した空気調和機９００は壁面に付着可能な壁掛け型空気調和機であり、外観をなすキャビネット９１０と、該キャビネット９１０の内部に装着される熱交換器９２０と、該熱交換器９２０の下側に装着されて室内空気を吸入する送風ファン９３０と、該送風ファン９３０によって吸入されて吐出される空気と接触してキムチ乳酸菌の醗酵物が空気中に放出されるようにするキムチ菌キット９６０が含まれる。
【０１７６】
詳しくは、前記キャビネット９１０の上側及び前面には室内空気が吸入されるように上側吸入口９１２と前面吸入口９１４が形成される。そして、前記吸入口９１２、９１４を開閉するためのルーバーグリルが装着されることができる。そして、前記キャビネット９１０の下側には前記熱交換器９２０を通過しながら温度が下降または上昇した空気が室内で再び吐出されるようにする吐出口９１６が形成される。そして、前記吐出口９１６は吐出ルーバー９１７によって選択的に開閉される。
【０１７７】
さらに詳しくは、前記吐出ルーバー９１７は前記キャビネット９１０に回動可能に装着されて、前記吐出口９１６を選択的に開閉して、前記吐出ルーバー９１７は一つまたはそれ以上が装着されることができる。
【０１７８】
また、前記キャビネット９１０の内部には吐出される空気の流れをガイドするためのエアガイド９４０が装着される。詳しくは、前記エアガイド９４０は前記熱交換器９２０または前記キャビネット９１０の内側壁に装着されて、所定曲率で湾曲されて吐出される空気が摩擦抵抗なしに吐出されるようにする。
【０１７９】
また、前記送風ファン９３０の上側には前記熱交換器９２０が多数個形成されて、前記送風ファン９３０の上側部を囲む形態で装着される。よって、前記送風ファン９３０によって吸入される空気は全部前記熱交換器９２０を通過するようになる。そして、前記送風ファン９３０の後側、すなわち前記キャビネット９１０の後側内周面の近くの位置に前記エアガイド９４０が装着される。よって、前記送風ファン９３０の外周面に沿って回転しながら吐出される空気が摩擦抵抗なしに柔らかく前記吐出口９１６にガイドされる。
【０１８０】
一方、前記エアガイド９４０の端部から上側に所定間隔で離隔された支点に前記キムチ菌キット９６０が安着されるための安着溝９４２が形成される。そして、前記キムチ菌キット９６０は前記安着溝９４２に脱／付着可能に装着されて、その交替が容易になされるようにする。
【０１８１】
さらに詳しくは、前記エアガイド９４０によって流れが案内される空気は前記キムチ菌キット９６０を触れながら通過するようになって、キムチ乳酸菌の醗酵物が空気中に放出される。そして、キムチ乳酸菌の醗酵物の含まれた空気は前記吐出口９１６を通じて再び室内に吐出される。
【０１８２】
また、前記上側吸入口９１２と前面吸入口９１４の付近にはほこり、その他の異物を一次的にろ過するためのプレフィルター及び／またはヘパフィルター及び／または集塵フィルターなどが装着されることができることは勿論である。
【０１８３】
図２１は図２０の空気調和機のまた他の実施例を示す側断面図である。
【０１８４】
図２１を参照すると、本実施例による空気調和機９００はキムチ菌部材１０００が前記空気調和機９００の外部に別に具備されることを特徴とする。
【０１８５】
詳しくは、キムチ菌部材が空気調和機９００の内部に装着される場合、空気調和機能が遂行されない場合には、キムチ乳酸菌の醗酵物が放出されなくなる。
【０１８６】
本実施例によると、小型ファンが具備されたキムチ菌部材１０００が空気調和機９００に別に装着されることで、空気調和機が作動しない場合にもキムチ乳酸菌の醗酵物が空気中に放出される長所がある。
【０１８７】
一方、前記キムチ菌部材１０００はキムチ菌キット１０６０が装着されるためのケース１０１０と、該ケース１０１０の前方に装着されて前面に吐出ホールが形成されるカバー１０２０と、前記ケース１０１０の後方に装着されて室内空気を吸入するサブファン１０３０が含まれる。
【０１８８】
詳しくは、前記ケース１０１０の両側面には室内空気を吸入するための吸入口１０５０が形成されて、前記送風ファン９３０が駆動しない状態でも室内空気がキムチ菌キット１０６０を通過することができるようにする。
【０１８９】
前記のような構成によって、前記空気調和機９００を使わない春秋期には前記キムチ菌部材１０００だけが作動するようにして、常に空気中にキムチ乳酸菌の醗酵物が含まれて、空気中に鳥インフルエンザウイルスのような有害性細菌が浮遊しないようにすることができる。
【０１９０】
勿論、前記キムチ菌部材１０００は空気調和機９００の前面から脱／付着が可能になるようにすることができる。
【産業上の利用可能性】
【０１９１】
本発明の空気調和機によると、本体内部に吸入される室内空気及び空気調和機の外部の室内空気がキムチ乳酸菌の醗酵物によって殺菌されることができる長所があって、空気調和機の内部に吸入される空気中の細菌が空気調和機の本体内部に粘着されて繁殖されることが防止される長所があるので、産業上の利用可能性が非常に高い。
【図面の簡単な説明】
【０１９２】
【図１】図１は、本発明の一実施例による空気調和機の外観斜視図である。
【図２】図２は、前記空気調和機の分解斜視図である。
【図３】図３は、前記空気調和機をなす前方フレームの背面斜視図である。
【図４】図４は、前記空気調和機をなす後方フレームの前面斜視図である。
【図５】図５は、前記空気調和機をなす吸入ユニットの斜視図である。
【図６】図６は、前記空気調和機をなす前面ドアの背面斜視図である。
【図７】図７は、本発明の思想による空気浄化機の分解斜視図である。
【図８】図８は、本発明の一実施例による集塵機の分解斜視図である。
【図９】図９は、前記空気調和機を構成する送風部の分解斜視図である。
【図１０】図１０は、図９の送風部の他の実施例を示す斜視図である。
【図１１】図１１は、前記空気調和機を構成する熱交換器の斜視図である。
【図１２】図１２は、前記空気調和機をなすベースの斜視図である。
【図１３】図１３は、本発明の他の実施例による空気調和機の斜視図である。
【図１４】図１４は、前記空気調和機の垂直断面図である。
【図１５】図１５は、前記空気調和機の空気清浄装置にキムチ菌フィルターが装着される様子を示す図面である。
【図１６】図１６は、本発明のまた他の実施例による空気調和機の外観斜視図である。
【図１７】図１７は、図１６のＩ-Ｉ'に沿って切開される空気調和機の概略的な構成を示す側断面図である。
【図１８】図１８は、本発明の思想によるキムチ菌部材が前記空気調和機の上部吐出ルーバーに装着された様子を示す拡大斜視図である。
【図１９】図１９は、図１６の空気調和機のまた他の実施例を示す斜視図である。
【図２０】図２０は、図１６の空気調和機のまた他の実施例を示す側断面図である。
【図２１】図２１は、図２０の空気調和機のまた他の実施例を示す側断面図である。
【図１】
2008544204.tif 000006
【図２】
2008544204.tif 000007
【図３】
2008544204.tif 000008
【図４】
2008544204.tif 000009
【図５】
2008544204.tif 000010
【図６】
2008544204.tif 000011
【図７】
2008544204.tif 000012
【図８】
2008544204.tif 000013
【図９】
2008544204.tif 000014
【図１０】
2008544204.tif 000015
【図１１】
2008544204.tif 000016
【図１２】
2008544204.tif 000017
【図１３】
2008544204.tif 000018
【図１４】
2008544204.tif 000019
【図１５】
2008544204.tif 000020
【図１６】
2008544204.tif 000021
【図１７】
2008544204.tif 000022
【図１８】
2008544204.tif 000023
【図１９】
2008544204.tif 000024
【図２０】
2008544204.tif 000025
【図２１】
2008544204.tif 000026
【国際調査報告】
2008544204.tif 000027
2008544204.tif 000028